(57)【要約】【課題】  通信機器などにおいて、接続の認証を行なって接続を許容するというシステムが存在する。その場合、認証する機器以前に、認証される機器が先に稼動状態になっている必要があり、機器全体を正常に動作させるためには時間差を置いて電源投入をする必要があるが、一般的にはその意識なり知識なりが欠如している場合がある。【解決手段】  この状態を解決するためには、電源投入に時間差を自動的に設けてやれば解決できるので、一つのコンセントから電源を例えば２個の危機に投入するような場合、２個のソケット間に電源投入の時間差を自動的に行えれば良い。この特許は、一方のソケットにタイマーを設置して時間差を置いて電源を投入する機器の提供である。【選択図】図２
2011159262.tif 000002
【特許請求の範囲】
【請求項１】
一括して電源を投入できない、すなわち連続して電源を投入しなければならない複数の機器に対して電源を入力することを特徴とする時間遅延ソケット。
【請求項２】
入力に差込プラグが１個、出力側に挿入ソケットを最低２個有することを特徴とする請求項１に記載の時間遅延ソケット。
【請求項３】
最低２個存在する挿入ソケットの中の１個については、差込プラグとは直結し、差込プラグから電源を投入するとダイレクトに繋がることを特徴とする請求項１に記載の時間遅延ソケット。
【請求項４】
請求項３に記載したダイレクト接続ではない別の挿入ソケットについては、タイマーが中間に設置され、指定した時間が経過して後に電源が投入されることを特徴とする請求項１に記載の時間遅延ソケット。
【発明の詳細な説明】
【技術分野】
【０００１】  通信機器などにおいて、機器を接続する場合において一括して電源を投入することができない場合がある。【０００２】  すなわち、ある初段の機器の電源を投入してスタンバイさせた後に、次の機器の電源を投入することによって初段の機器からの正確な情報を取得して初めて正常な動作をするようなケースである。【０００３】  一括投入すると、初段の機器からの正常な情報を得られなかったとして次段の機器がハングアップ、あるいは動作の中断をすることになる。【０００４】  やや詳しく説明すると、近年の情報関連機器においては、認証という作業に基づいて情報のやり取りのための結線をしていいかどうかの判断を自動的に行う。【０００５】  そのように、認証しようとして他の機器にアクセスした場合にその機器が稼動していないかあるいは機能の立ち上がりに時間を要するような場合には正確な回答が得られず、データがない以上認識ができず認証ができないという形になる。【０００６】  そのために、認証される機器は認証しようとする機器が認証する動作に入る以前に正常に稼動していなければならない。【０００７】  ＰＣなどの場合、立ち上がりに１０分程度の時間を要するような場合が存在する。
【背景技術】
【０００８】  近年の通信機器は、複雑化しており、上記のような問題については装置、あるいはシステムを一体化して、その手順についてもそのシステムの一連の操作として内部に組み込んでしまうということが行われつつある。【０００９】  しかしながら、各段階の機能を保有する機器を組み合わせるということは日常的に行われていることであって、特に家庭などにおいては既に購入した機器を利用してそれに接続し、価格を低減化するなどの状況がしばしば見られ、また、オフィスにおいても同様の状況になっている場合が多い。【００１０】  従って電源投入の順序が必要なケースが場合によっては存在し、その手順は個々の機器の手順書には記入されていないことから、問題が発生する場合がある。
【解決すべき課題】
【００１１】  背景の技術で述べたように、このような手順があるという事については、それを専門とする人間にとっては当たり前のことであるが、近年の情報機器の家庭などへの進出に伴ってこの通常の手順が判らないために再起動などの場合に正常に復帰しないとしてこれをトラブルと認識してしまうケースが多数見られる。
【００１２】  これによる苦情が寄せられる場合があり、手順が必要であることを理解してもらうことにかなりの手間をかけなければならない。
【００１３】  これは、顧客の無知と片付けることはできず、顧客満足を損ねているということであって、この手順を理解するか理解しないかにかかわらず人に任せるのではなく自動的に正常動作をすることを実現するということが必要である。
【課題を解決する方法】
【００１４】  ここで提供するものは、時間差の必要な電源投入動作を自動的におこなってしまう機器の提供である。
【００１５】  機器は、１個の差込プラグ、電源投入スイッチ、２個のソケット、その中の１個のソケットに設置されるタイマー、接続用のリレーとで構成されている。
【００１６】  この機器の使用方法としては、以下の通りである。
【００１７】  まず、タイマーのセット、ただし、デフォルトで１０分の設定になっているが、必要に応じての時間設定ができるものであり、機器をソケットに接続し所定のコンセントにプラグを差し込む、スイッチを投入するという手順になる。
【００１８】  以上の操作によって、スイッチを投入すると直結ソケットに接続された機器にはスイッチ投入と同時に電源が投入され、さらにこの場合１０分を経過すると遅延ソケットに接続されたもうひとつの機器に電源が投入される。
【００１９】  この連結動作をする機器が３個以上になった場合にはこのソケットを２段に使用するがその場合には２段目のスイッチは１段目のスイッチ投入以前に通電状態にしておくものとする。
【００２０】  すなわち、遅延させるソケットにもうひとつの時間遅延ソケットを接続することによって、１段目は直結、２段目は１０分後、３段目は例えば２０分後に電源投入されるので、問題なくシステム全体が稼動するということになる。
【００２１】  このように多段構成によって何段でも重ねることができるので、システムによって自由に設定することが可能になる。
【００２２】  もちろんこの配線は蛸足配線になるので、多数をというわけにはいかないので、その場合には、ソケット数を増やし、それぞれのソケットが個別に時間遅延を設定できる製品を用意すればいいことになる。
【００２３】  当然のことであるが、時間設定は自由にできるので、システムによっては例えば１分という設定を行ってもいい。
【発明の効果】
【００２４】  この機器を使用した場合、何らかのトラブル、例えば結果的に機器がハングアップしたような場合にこの時間遅延ソケットの配線はそのままにして、時間遅延ソケットのスイッチの電源切断・電源投入の簡単な操作によって再起動が行えることになるので、システムのユーザーにとっても簡便な、便利なシステムに生まれ変わることになる。
【関連する特許】
【００２５】  特許公開２０００−２６０２３９「電源供給制御システム及び電源供給制御方法」の特許は、ＨＤＤ群の起動時に同時に多数のＨＤＤを起動することによる突入電流の分散化を図ろうとするものであって、連結された機器それぞれの信号制御に関する特許出願ではないので、本件特許とは異なる用途として使用されるものである。
【００２６】  特許公開平１０−２５７６７２「電源装置および電源ユニット」の特許は、上記２０００−２６０２３９と同様の電源投入時の突入電流値を緩和する目的で使用されるものであって、同様に本件特許とは異なる用途として使用されるものである。
【００２７】  特許公開２００６−１１４９９７「電源タップ」の特許は、電源を投入された機器からの信号送出によって接続された機器に連結するリレーが働き、電源を投入するという仕組みの特許であるが、この特許では、送信が具体的にどう行われるか、また、電源が入っていない機器がその信号を受けるという矛盾をはらんでおり、到底実現できないシステム構成になっている。
【実施例１】
【００２８】  図３には、ネットとＰＣとの接続において、中間に入るルータ及びＶＤＳＬなどが一体化されている場合の流れ図を示す。【００２９】  このケースでは一体になっているために、電源投入の順番はなく、投入によって自動的に接続状態になることから、本発明になる時間遅延ソケットを使用する必要はない。
【実施例２】
【００３０】  図４には、一体化されたルータとＶＤＳＬなどの装置以降に無線ルータを接続するような場合を示している。【００３１】  この場合には一体化装置の電源が投入されて、一定時間後にその装置が稼動状態になってから無線ルータの電源スイッチを投入しなければ、無線ルータは接続の認証ができないので、誤接続の状態になる。【００３２】  この場合の電源コンセントの設置方法としては、本発明品を使い、一体化装置には、電源直結のソケットから電力を供給し、無線ルータには１０分間の遅延時間を確保したソケットから電力を供給するように接続をした後にスイッチを投入することによって、正常に復帰することを確認できた。【００３３】  この電力供給のソケット接続については、設置時に確定させておけば例えば何らかの外部要因によって引き起こされた誤接続、あるいは回線ダウンの状態から復帰させるには、時間遅延ソケット自体のスイッチのＯＦＦ−ＯＮの動作を一回実行すればいいということになる。
【実施例３】
【００３４】  図５には、一体化以前のシステムの例を示している。【００３５】  この場合にはＶＤＳＬあるいはＯＮＵとルータが個別の装置として配置されており、この場合には実施例２で示したようにルータが情報を取りに行く場合に、前段のＶＤＳＬあるいはＯＮＵが稼動状態になっていない場合には認定するための情報が取れなかったとして誤動作になり、結局はネットに接続できないという状況が発生する。【００３６】  この場合には、実施例２で示したと同様に、本発明品を使い、ＶＤＳＬあるいはＯＮＵには電源直結のソケットから電力を供給し、ルータには１０分間の遅延時間を確保したソケットが電力を供給するように接続をした後にスイッチを投入することによって正常に復帰することを確認できた。【００３７】  実施例２の場合と同様に、初期設置時にこのような電源供給の状態にすることによって、何らかの不具合が発生した場合には、本発明品のスイッチを切断−投入の動作を一回実施することによって正常な状態に復帰する。
【実施例４】
【００３８】  実施例３で示したシステムに、さらにＰＣとの間に無線ルータが設置されている場合であり、これを図６に示す。【００３９】  この場合には、中間のルータが十分な稼動状態になった後で無線ルータの電源を投入する必要があり、本発明になる２個のソケットを有する時間遅延ソケットを２個連結して用いるか、あるいは３個のソケットを有する時間遅延ソケットを用いて、１０分間遅延ソケットをルータに、それからさらに１０分間の遅延時間のある３番目のソケットに無線ルータを接続してスイッチを投入するという動作になる。【００４０】  ２段に使用した場合には、２番目の時間遅延ソケットの電源スイッチはＯＮ状態にし、遅延時間を１０分と設定しておくこととし、３個のソケットを有する時間遅延ソケットを使用する場合には３番目の遅延時間は２０分と設定する。【００４１】  このような装置構成の場合について、復帰実験を行ったところ正常に全体のシステムが復帰することを確認した。【００４２】  実施例２，３の場合と同様にシステム設置時に遅延ソケットを組込むことによって、時間遅延ソケットの電源スイッチをＯＦＦ−ＯＮする動作を一回するだけで正常な状態に戻ることになり、復帰作業が簡便化するということになる。【００４３】  この場合には全体のシステムの復帰には最低でも２０分間の待ち時間が必要になるが、確実に復帰するということが確認できることから、顧客満足を達成できることになる。
【図面の簡単な説明】
【００４４】
【図１】  本発明になる装置の電気回路
【００４５】
【図２】  本発明になる装置の構成
【００４６】
【図３】  ＶＤＳＬあるいはＯＮＵとルータが一体になった場合のシステム構成
【００４７】
【図４】  図３の場合で、ＰＣとの間に無線ルータが挿入されている場合のシステム構成図。この場合、▲１▼▲２▼の順序での電源投入になる。
【００４８】
【図５】  ＶＤＳＬあるいはＯＮＵとルータが独立して配置される場合のシステム構成。この場合、▲１▼▲２▼の順序での電源投入になる。
【００４９】
【図６】  ＶＤＳＬあるいはＯＮＵとルータ、及び無線ルータが接続されたシステム構成。この場合には、▲１▼▲２▼▲３▼の順序での電源投入になる。
【符号の説明】１．差込プラグ
２．スイッチ
３．直結するソケット
４．タイマー
５．時間遅延をするソケット
【図１】
2011159262.tif 000003
【図２】
2011159262.tif 000004
【図３】
2011159262.tif 000005
【図４】
2011159262.tif 000006
【図５】
2011159262.tif 000007
【図６】
2011159262.tif 000008